(57)【要約】【課題】隅部に機器を設置するにあたり、機器の操作部を設けてある操作面が隅部の両辺が向く方向の間を向くように傾けて設置しても、機器の外面と隅部の両辺との間の空間がデッドスペースとなってしまうことのない機器のケーシングを提供する。【解決手段】機器１のケーシング２は、操作部３を備えた操作面２０を外面の一部に有する。外面の一部として少なくとも、略直角をなすように隣接する二つの背方側の側面２１、２２と、前記二つの背方側の側面２１、２２が向くそれぞれの方向とのなす角がいずれも略直角より大きい方向を向く操作面２０と、を備える。また、二つの背方側の側面２１、２２にそれぞれ略直角をなすように隣接する二つの前方側の側面２３、２３を備え、操作面２０の両側に前記二つの前方側の側面２３、２３が隣接して平面視略五角形状をなす。【選択図】        図１
2011110150.tif 000002
【特許請求の範囲】
【請求項１】
操作部を備えた操作面を外面の一部に有する機器のケーシングであって、外面の一部として少なくとも、略直角をなすように隣接する二つの背方側の側面と、前記二つの背方側の側面が向くそれぞれの方向とのなす角がいずれも略直角より大きい方向を向く操作面と、を備えて成ることを特徴とする機器のケーシング。
【請求項２】
二つの背方側の側面にそれぞれ略直角をなすように隣接する二つの前方側の側面を備え、操作面の両側に前記二つの前方側の側面が隣接して平面視略五角形状をなすことを特徴とする請求項１記載の機器のケーシング。
【発明の詳細な説明】
【技術分野】
【０００１】
本発明は、外面に操作部を備える機器のケーシングに関するものである。
【背景技術】
【０００２】
従来より、略箱状をして外面に操作部や把手部（総称して単に操作部という）を有する機器、例えば、ガスコンロや電子レンジ等の機器の多くは、外殻となるケーシングが略矩形箱状をしており、前面が操作部を備えた操作面となっている（例えば特許文献１参照）。
【０００３】
このような機器をカウンター上に載置する場合、通常は、ケーシングの背面をカウンターの上面の端辺に沿わせて設置することで、カウンター上に幅や長さが中途半端で使い道のないデッドスペースが形成されてしまうのを極力回避している。また、機器を部屋のカウンター以外の部分に設置する場合も同様に、ケーシングの背面を部屋の壁面に沿って設置している。
【０００４】
また、このような機器は、カウンターの隅部や部屋の隅部に設置することで、より一層、機器が邪魔にならずカウンター上の空間や部屋内の空間を広くとることができるため、隅部に設置するのが好ましいものである。
【先行技術文献】
【特許文献】
【０００５】
【特許文献１】特開２００４−２６３９００号公報
【発明の概要】
【発明が解決しようとする課題】
【０００６】
しかしながら機器を隅部に設置する場合、操作部を操作し難くなってしまう。すなわち、図４（ａ）や図４（ｂ）に示すようにカウンター７の隅部５に設置した機器１に隣接して他の機器６を設置することが多いが、この場合、隣接する機器６が邪魔になって隅部５の機器１の操作部３を操作し難くなってしまうものである。図中の符号８はガスコックを示す。
【０００７】
このため図５に示すように、隅部５に設置する機器１の操作面２０が、平面視において隅部５の両辺５１、５２が向く方向の間の方向を向くように傾けて設置することで、この機器１の操作部３を操作する際に、隣接する機器６が邪魔にならないようにすることができる。
【０００８】
しかしながら、このように略矩形箱状をした機器１の外面を隅部５の両辺５１、５２に対して傾けて設置すると、平面視において機器１の背面２４と隅部５の両辺５１、５２とで囲まれる空間Ｓ１や、機器１の側面２５と隅部５の両辺５１、５２と隣接する機器６とで囲まれる空間Ｓ２がデッドスペースとなってしまう、という問題があった。
【０００９】
本発明は上記従来の問題点に鑑みて発明したものであって、その目的とするところは、隅部に機器を設置するにあたり、機器の操作部を設けてある操作面が隅部の両辺が向く方向の間を向くように傾けて設置しても、機器の外面と隅部の両辺との間の空間がデッドスペースとなってしまうことのない機器のケーシングを提供することを課題とするものである。
【課題を解決するための手段】
【００１０】
上記課題を解決するために、請求項１に係る発明は、操作部３を備えた操作面２０を外面の一部に有する機器１のケーシング２であって、外面の一部として少なくとも、略直角をなすように隣接する二つの背方側の側面２１、２２と、前記二つの背方側の側面２１、２２が向くそれぞれの方向Ａ１、Ａ２とのなす角がいずれも略直角より大きい方向を向く操作面２０と、を備えて成ることを特徴とする。
【００１１】
請求項２に係る発明は、請求項１に係る発明において、二つの背方側の側面２１、２２にそれぞれ略直角をなすように隣接する二つの前方側の側面２３、２３を備え、操作面２０の両側に前記二つの前方側の側面２３、２３が隣接して平面視略五角形状をなすことを特徴とする。
【発明の効果】
【００１２】
請求項１に係る発明にあっては、デッドスペースとなる空間が形成されるのを回避することができると共に、操作面が隅部の両辺が向く方向の間を向くこととなって、当該機器に隣接する機器が設置してあっても操作部を操作し易いものである。
【００１３】
また請求項２に係る発明にあっては、前方側の側面を隣接する機器の側面とそれぞれ平行にして殆ど隙間なく設置することが可能となり、デッドスペースが形成されるのを極力回避することができる。
【図面の簡単な説明】
【００１４】
【図１】本発明の一実施形態のケーシング（機器）をカウンターに設置した状態の平面図である。
【図２】機器がガスコンロである例を示し、（ａ）は平面図であり、（ｂ）は操作面と二つの背方側の側面が向く方向及びそのなす角について説明する平面図である。
【図３】（ａ）は機器がガス炊飯器である例の平面図であり、（ｂ）は機器がガス焼物器である例の平面図である。
【図４】（ａ）（ｂ）はそれぞれ従来の機器のカウンターへの載置例である。
【図５】従来の機器のカウンターへの載置例の更に他例である。
【発明を実施するための形態】
【００１５】
本発明の一実施形態について添付図面に基づいて説明する。
【００１６】
本発明における機器１は、図１に示すように、外殻となるケーシング２と、ケーシング２の外面に設けられる操作部３と、を備えたもので、例えば、ガスコンロ、ガス炊飯器、ガス焼物器、電子レンジ等の厨房機器が好適に挙げられるが、その他に、タオル蒸し器、殺菌装置等の厨房機器以外の機器であってもよく、特に限定されない。本実施形態では機器１として、カウンター７上に設置される図２に示すようなガスコンロ、図３（ａ）に示すようなガス炊飯器、図３（ｂ）に示すようなガス焼物器といったガス機器を想定している。
【００１７】
ケーシング２の外面に設けられる操作部３は、例えば、機器１がガス機器の場合には、点火／消火釦、火力調節つまみ、タイマーや自動調理モードの設定釦といった操作部であり、また機器１が電子レンジの場合には、加熱開始／停止釦、加熱量調節つまみ、タイマーや各種モードの設定釦といった操作部である。また、機器１が例えばタオル蒸し器や殺菌装置等の場合には、動作開始／停止釦、各種調節つまみ、タイマーや各種モードの設定釦といった操作部に加え、前面に設けられる扉の把手部も含む。つまり、本発明における操作部３とは、使用者が機器１を使用するために手で操作するもの全般をいうものとする。メンテナンス用や通常使用することのない操作部は本発明における操作部３には含まれないが、含まれていても差し支えない。また操作部３としては、各種釦、レバー式やダイヤル式等の各種つまみをはじめ、シーソースイッチ等の各種スイッチやその他であっても勿論よく、特に限定されない。
【００１８】
またケーシング２は、機器１の内部部品を必ずしも全面に亘って覆うことを要さず、例えばガスコンロのケーシング２が下方に開放していたり、上面に開口が形成されてバーナが露出しているといったように、覆われていない部分があってもよい。
【００１９】
本発明は、上述したケーシング２の形状に特徴を有するもので、以下に説明する。
【００２０】
ケーシング２は図２（ａ）に示すように、略直角をなして隣接する二つの側面２１、２２を背方側に備えており、カウンター７や部屋の隅部５にケーシング２を設置した時に、前記二つの背方側の側面２１、２２が隅部５の両辺５１、５２（図１に示す例ではカウンター２の端辺であるが、部屋に設置する場合は隅部５を形成する両壁面）にそれぞれ沿うようにしてある。また図示しないが、側面２１、２２に防熱板や防汚板を設け、部屋の壁面や周囲が熱により損傷したり汚れたりするのを防止してもよい。
【００２１】
図２（ａ）において、符号４はガス管の接続部であり、また、隅部５の両辺５１、５２を破線で示しているが、特にこのような位置関係で設置する必要はなく、図１に示されるように側面２１、２２と両辺５１、５２との間の距離は現場に応じて適宜設定するものである。
【００２２】
そして更に、二つの背方側の側面２１、２２がそれぞれ向く方向Ａ１、Ａ２とのなす角がいずれも略直角より大きい方向を向く操作面２０を前方側に備えている。すなわち、図２（ｂ）に示すように、操作面２０が向く方向Ａ０は、一方の背方側の側面２１の向く方向Ａ１となす角が直角よりも大きくなる範囲α１と、他方の背方側の側面２２の向く方向Ａ２となす角が直角よりも大きくなる範囲α２との重複範囲α内の任意の方向となるように決定される。図２、図３に示す例では、二つの背方側の側面２１、２２が向く方向Ａ１、Ａ２とのなす角がそれぞれ同じ略１３５°となるようにしてあるが（図２（ｂ）参照）、重複範囲α内で他の角度をなす（例えばＡ１と１２０°をなし且つＡ２と１５０°をなす、あるいはＡ１と１５０°をなし且つＡ２と１２０°をなす）ようにしても勿論よい。
【００２３】
二つの背方側の側面２１、２２はいずれも略平面であり、操作面２０は略平面であるのが好ましいが曲面であっても差し支えなく、また、図２や図３（ｂ）に示すように操作面２０から操作部３が突出していてもよい。
【００２４】
また図２、図３に示す例では、二つの背方側の側面２１、２２にそれぞれ略直角をなすように隣接する二つの前方側の側面２３を備え、操作面２０の両側に前記二つの前方側の側面２３が隣接して平面視略五角形状となっている。
【００２５】
上述したケーシング２を備えた機器１は、隅部５に設置するにあたり、二つの背方側の側面２１、２２を隅部５の両辺５１、５２にそれぞれ沿わせることで、図５に示すようなデッドスペースとなる空間Ｓ１、Ｓ２が形成されずにすみ、更にこの時、操作面２０が両辺５１、５２が向く方向の間を向くこととなるため、当該機器１に隣接する機器６が設置してあっても操作部３を操作し易いものである。これにより、当該機器１に隣接する他の機器６がガスコンロであって、該機器６に鍋やフライパン等が載置してあっても、図４（ａ）や図４（ｂ）に示すもののように操作部３を操作しようとして鍋やフライパンを転倒させる危険性が高いといったことがなく、安全性が高いものであり、また図４（ａ）や図４（ｂ）に示すもののように、使用者が操作部３を操作しようとして無理な体勢をとって身体を痛めるのを回避することもできる。
【００２６】
図２、図３に示す例はケーシング２は平面視略五角形状をしているが、略三角形状や略六角形状、略八角形状をはじめとする任意の多角形状でもよい。仮に、ケーシング２が操作面２０と二つの背方側の側面２１、２２とからなる略三角形状をしていると、操作面２０とその両側の背方側の側面２１、２２との接続部分に鋭角のエッジが形成され、当該機器１や隣接する機器６を設置したり移動したりする場合に、エッジにより機器６や周囲を破損したり使用者が怪我をしたり易くなるため、五角形以上の多角形が好ましい。
【００２７】
また、上述した図２、図３に示す略五角形状とすることで、前方側の側面２３、２３を隣接する機器６の側面とそれぞれ平行にして、殆ど隙間なく設置することが可能となり、デッドスペースが形成されるのを極力回避することができる。
【００２８】
なお本発明の特許請求の範囲及び明細書において「略」という語句を、数学的な厳密性を要さず、実用上や全体的な印象において同視し得る程度の範囲で許容される、という意味で付している。すなわち、例えば「略直角」という語句は、実用上直角と同視し得る概ね８７°〜９３°の範囲の角度が望ましいが、これに限定されるわけではない。また「略五角形」という語句は、全体的な印象において五角形と同視し得るものであれば、角が丸みを帯びていたり面取り状に切除されていたり、あるいは辺が若干曲がっていて、厳密な五角形ではなくてもよいものとする。
【符号の説明】
【００２９】
１    機器
２    ケーシング
２０  操作面
２１  背方側の側面
２２  背方側の側面
２３  前方側の側面
３    操作部
４    ガス管の接続部
５    隅部
５１  辺
５２  辺
６    隣接する機器
７    カウンター
８    ガスコック
Ａ０  操作面２０が向く方向
Ａ１  背方側の側面２１が向く方向
Ａ２  背方側の側面２２が向く方向
α    重複範囲
α１  Ａ０とＡ１のなす角が直角よりも大きくなる範囲
α２  Ａ０とＡ２のなす角が直角よりも大きくなる範囲
【図１】
2011110150.tif 000003
【図２】
2011110150.tif 000004
【図３】
2011110150.tif 000005
【図４】
2011110150.tif 000006
【図５】
2011110150.tif 000007